(57)【特許請求の範囲】
【請求項１】
建物の出入り口の一方の側壁に水密に固定され、上部に第１係合部が配設され、長手方向に第１係止部が延在し、前記第１係止部に沿って第１ガイド部が延在する第１取付部と、
前記建物の出入り口の他方の側壁に水密に固定され、上部に第２係合部が配設され、長手方向に第２係止部が延在し、前記第２係止部に沿って第２ガイド部が延在する第２取付部と、
上端部が上端棒状部材を介して前記第１係合部と前記第２係合部に係合し、一方の側部が第１係合部材を介して前記第１係止部と係合し、他方の側部が第２係合部材を介して前記第２係止部と係合し、下端部が前記出入り口の床の溝内で保持される防水シートと、
を備え、
前記第１取付部は、第１ピンに対して回動可能に前記第１取付部の長手方向に延在する第１支持板と、前記第１支持板に固定され、上部に第１取手が設けられた第１把持部材とを有し、
前記第２取付部は、第２ピンに対して回動可能に前記第２取付部の長手方向に延在する第２支持板と、前記第２支持板に固定され、上部に第２取手が設けられた第２把持部材とを有し、
前記一方の側部は、前記第１ガイド部でガイドされ、前記第１取手が回動され、回動された前記第１把持部材と前記第１係止部で把持され、
前記他方の側部は、前記第２ガイド部でガイドされ、前記第２取手が回動され、回動された前記第２把持部材と前記第２係止部で把持され、
前記防水シートに水圧がかかった場合に、前記第１係合部材は、前記第１係止部及び第１把持部材と当接し、前記第２係合部材は、前記第２係止部及び第２把持部材と当接することを特徴とするシート式浸水防止装置。
【請求項２】
請求項１に記載のシート式浸水防止装置において、
前記溝内に設けられ、長手方向に第３係止部が延在し、前記第３係止部に沿って第３ガイド部が延在する第３取付部を有し、
前記下端部は、第３係合部材を介して前記第３係止部と係合し、前記第３ガイド部でガイドされ、前記第３取付部の長手方向に延在する第３把持部と前記第３係止部で把持されることを特徴とするシート式浸水防止装置。
【請求項３】
請求項１に記載のシート式浸水防止装置において、
前記溝内に収納され、下端棒状部材が係合する傾斜面を有する傾斜部が形成された保持部材を有し、
前記下端部が前記下端棒状部材を介して前記溝内に設けられた溝内係止部に係合し、
前記下端棒状部材は、前記溝内係止部と前記傾斜部に係合し、
前記保持部材は、上部に保持取手が固定され、下部にストッパが設けられた支柱を有し、前記支柱は、前記傾斜部の貫通孔内で移動可能であり、
前記保持取手を引き上げることにより、前記溝内から前記保持部材を取り外すことができることを特徴とするシート式浸水防止装置。
【請求項４】
請求項３に記載のシート式浸水防止装置において、
前記溝が、前記第１取付部及び前記第２取付部の下部まで延在し、
前記保持部材は、
端部が前記第１取付部の下部の溝に収納される第１保持部材と、
端部が前記第２取付部の下部の溝に収納される第２保持部材と、
前記第１保持部材と前記第２保持部材との間に位置する第３保持部材と、
を有することを特徴とするシート式浸水防止装置。
【請求項５】
請求項１〜４のいずれか１項に記載のシート式浸水防止装置において、
前記上端棒状部材と係合する第３係合部が配設され、前記第１取付部と前記第２取付部との中間に設けられた中間支柱を有することを特徴とするシート式浸水防止装置。
【発明の詳細な説明】
【技術分野】
【０００１】
本発明は、建物の出入り口に設置され、建物内への浸水を防止するシート式浸水防止装置に関する。
【背景技術】
【０００２】
例えば、集中豪雨等により大量の水が発生した場合、家屋、ビル、地下駐車場、地下鉄等の出入り口を介して、水が建造物内に浸入するおそれがある。そこで、建造物内への水の浸入を防止するため、これらの出入り口に浸水防止パネルや開閉扉が設置される。
【０００３】
しかしながら、浸水防止パネルは、相当な重量があるため、作業者が一人で浸水防止パネルを設置することは難しい。また、浸水防止パネルは、大きなスペースを占有するため、使用しない場合における収納場所が問題となる。さらに、浸水防止パネルには、建造物に対する戸当たりの平面度に高い精度が要求される。精度が悪いと、浸水防止パネルの水密性が低下し、水漏れが発生するおそれがある。一方、開閉扉は、大きなスペースを占有するだけでなく高価であるため、一般家庭や小規模な建造物には不向きである。
【０００４】
特許文献１には、出入り口の通路下に形成された収納部に防水シートが収納されるシート式浸水防止装置が開示されている。このシート式浸水防止装置においては、収納部に収納された防水シートを引き上げ、水密ファスナーで各防水シートを連結させることにより、容易に且つ短時間で防水シートを一対の取付部に装着できるようにしている。
【０００５】
また、特許文献２には、出入り口の取付部に磁石で防水シートが装着されるシート式浸水防止装置が開示されている。このシート式浸水防止装置においては、磁性体が磁石に吸引されることで防水シートを各取付部に容易且つ短時間で装着することができる。また、磁性体を磁石から離間させるだけで防水シートを各取付部から取り外せるようにしている。
【先行技術文献】
【特許文献】
【０００６】
【特許文献１】特開２０１４−９５５４７号公報
【特許文献２】特開２０１４−２０５０３１号公報
【発明の概要】
【発明が解決しようとする課題】
【０００７】
しかしながら、特許文献１又は特許文献２に記載のシート式浸水防止装置においては、防水シートを各取付部に容易且つ短時間で装着することができるようにしているが、防水シートの取付部への装着をより容易にするとともに、より短時間にすることが要請される。さらに、防水シートのより高い水密性も要請される。
【０００８】
本発明は、上記の課題を考慮してなされたものであって、建物内への浸水を防止することができる高い水密性を有し、防水シートの着脱が極めて容易なシート式浸水防止装置を提供することを目的とする。
【課題を解決するための手段】
【０００９】
本発明に係るシート式浸水防止装置は、建物の出入り口の一方の側壁に水密に固定され、上部に第１係合部が配設され、長手方向に第１係止部が延在し、前記第１係止部に沿って第１ガイド部が延在する第１取付部と、前記建物の出入り口の他方の側壁に水密に固定され、上部に第２係合部が配設され、長手方向に第２係止部が延在し、前記第２係止部に沿って第２ガイド部が延在する第２取付部と、上端部が上端棒状部材を介して前記第１係合部と前記第２係合部に係合し、一方の側部が第１係合部材を介して前記第１係止部と係合し、他方の側部が第２係合部材を介して前記第２係止部と係合し、下端部が前記出入り口の床の溝内で保持される防水シートと、を備え、前記第１取付部は、第１ピンに対して回動可能に前記第１取付部の長手方向に延在する第１支持板と、前記第１支持板に固定され、上部に第１取手が設けられた第１把持部材とを有し、前記第２取付部は、第２ピンに対して回動可能に前記第２取付部の長手方向に延在する第２支持板と、前記第２支持板に固定され、上部に第２取手が設けられた第２把持部材とを有し、前記一方の側部は、前記第１ガイド部でガイドされ、前記第１取手が回動され、回動された前記第１把持部材と前記第１係止部で把持され、前記他方の側部は、前記第２ガイド部でガイドされ、前記第２取手が回動され、回動された前記第２把持部材と前記第２係止部で把持され、前記防水シートに水圧がかかった場合に、前記第１係合部材は、前記第１係止部及び第１把持部材と当接し、前記第２係合部材は、前記第２係止部及び第２把持部材と当接することを特徴とする。
【００１０】
前記シート式浸水防止装置において、前記溝内に設けられ、長手方向に第３係止部が延在し、前記第３係止部に沿って第３ガイド部が延在する第３取付部と、前記下端部は、第３係合部材を介して前記第３係止部と係合し、前記第３ガイド部でガイドされ、前記第３取付部の長手方向に延在する第３把持部と前記第３係止部で把持され、ることを特徴とする。
【００１１】
前記シート式浸水防止装置において、前記溝内に収納され、下端棒状部材が係合する傾斜面を有する傾斜部が形成された保持部材を有し、前記下端部が前記下端棒状部材を介して前記溝内に設けられた溝内係止部に係合し、前記下端棒状部材は、前記溝内係止部と前記傾斜部に係合し、前記保持部材は、上部に保持取手が固定され、下部にストッパが設けられた支柱を有し、前記支柱は、前記傾斜部の貫通孔内で移動可能であり、前記保持取手を引き上げることにより、前記溝内から前記保持部材を取り外すことができることを特徴とする。
【００１２】
前記シート式浸水防止装置において、前記溝が、前記第１取付部及び前記第２取付部の下部まで延在し、前記保持部材は、端部が前記第１取付部の下部の溝に収納される第１保持部材と、端部が前記第２取付部の下部の溝に収納される第２保持部材と、前記第１保持部材と前記第２保持部材との間に位置する第３保持部材と、を有することを特徴とする。
【００１３】
前記シート式浸水防止装置において、前記上端棒状部材と係合する第３係合部が配設され、前記第１取付部と前記第２取付部との中間に設けられた中間支柱を有することを特徴とする。
【発明の効果】
【００１４】
本発明に係るシート式浸水防止装置では、防水シートの側部が第１係止部と第１把持部と、第２係止部と第２把持部で把持され、防水シートの係合部材がそれぞれ係止部に係合することで、極めて容易に装着することができ、また、防水シートの高い水密性を確保することができる。
【００１５】
また、防水シートの下端部を、第３係止部と第３把持部で把持し、防水シートの係合部材がそれぞれ係止部に係合することで、極めて容易に装着することができ、また、防水シートの高い水密性を確保することができる。
【００１６】
さらに、下端棒状部材が、保持部材の傾斜部及び溝内係止部と係合することにより、保持部材が溝から抜け出るのを防止することができる。
【００１７】
また、保持部材が第１保持部材、第２保持部材及び第３保持部材の３つに分割されているので、それぞれ溝内に容易に収納することができる。
【００１８】
さらにまた、防水シートの上端棒状部材が中間支柱により支持され、防水シートが補強されるので、より高い水密性を確保することができる。
【図面の簡単な説明】
【００１９】
【図１】本実施形態に係るシート式浸水防止装置において、防水シートが装着された状態の斜視図である。
【図２】本実施形態に係るシート式浸水防止装置において、防水シートが取り外された状態の斜視図である。
【図３】本実施形態に係るシート式浸水防止装置の図１におけるＩＩＩ−ＩＩＩ線断面図である。
【図４】図４Ａは、第１取付部の上部の斜視図、図４Ｂは第２取付部の上部の斜視図である。
【図５】第３保持部材を溝に収納した状態の説明図である。
【図６】図６Ａは、防水シートの正面図、図６Ｂは、防水シートの図６ＡにおけるＶＩＢ−ＶＩＢ線部分断面図であり、図６Ｃは、防水シートの図６ＡにおけるＶＩＣ−ＶＩＣ線部分断面図である。
【図７】図７Ａは、第１保持部材の斜視図であり、図７Ｂは、第２保持部材の斜視図であり、図７Ｃは、第３保持部材の斜視図である。
【図８】図８Ａは、防水シートの装着前の第１取付部の概略横断面図であり、図８Ｂは、防水シートが第１ガイド部に挿入された状態の第１取付部の概略横断面図であり、図８Ｃは、防水シートの装着後の第１取付部の概略横断面図であり、図８Ｄは、防水シートに水圧が加わった状態の第１取付部の概略横断面図である。
【図９】図９Ａは、防水シートの装着前の第３保持部材の横断面図であり、図９Ｂは、防水シートの装着中の第３保持部材の横断面図であり、図９Ｃは、防水シートの装着後の第３保持部材の横断面図であり、図９Ｄは、防水シートに水圧が加わった状態の第３保持部材の横断面図である。
【図１０】他の実施形態に係るシート式浸水防止装置において、防水シートが装着された状態の斜視図である。
【図１１】図１１Ａは、防水シートの装着前の第３取付部の横断面図であり、図１１Ｂは、防水シートが第３ガイド部に挿入された状態の第３取付部の横断面図であり、図１１Ｃは、防水シートの装着後の第３取付部の横断面図であり、図１１Ｄは、防水シートに水圧が加わった状態の第３取付部の横断面図である。
【図１２】他の実施形態に係るシート式浸水防止装置において、防水シートが装着された状態の斜視図である。
【発明を実施するための形態】
【００２０】
＜シート式浸水防止装置１０の構成＞
以下、本発明の実施形態について図面を参照して説明する。図１は、本実施形態に係るシート式浸水防止装置１０において、防水シート７０が装着された状態の斜視図である。図２は、本実施形態に係るシート式浸水防止装置１０において、防水シート７０が取り外された状態の斜視図である。図３は、本実施形態に係るシート式浸水防止装置１０の図１におけるＩＩＩ−ＩＩＩ線断面図である。図４Ａは、取付部２０ａの上部の斜視図であり、図４Ｂは取付部２０ｂの上部の斜視図である。図５は、保持部材１００を溝９０に収納した状態の説明図である。図６Ａは、防水シート７０の正面図であり、図６Ｂは、防水シート７０の図６ＡにおけるＶＩＢ−ＶＩＢ線部分断面図であり、図６Ｃは、防水シート７０の図６ＡにおけるＶＩＣ−ＶＩＣ線部分断面図である。図７Ａは、保持部材１００ａの斜視図であり、図７Ｂは、保持部材１００ｂの斜視図であり、図７Ｃは、保持部材１００ｃの斜視図である。
【００２１】
シート式浸水防止装置１０は、建物１２の出入り口１４の外側部分に設置される。出入り口１４には、ドア１６ａ、１６ｂが配設されている。ドア１６ａ、１６ｂは、横方向に移動させることで出入り口１４を開閉できる。
【００２２】
シート式浸水防止装置１０は、取付部２０ａ（第１取付部）、取付部２０ｂ（第２取付部）、防水シート７０及び保持部材１００を備える。
【００２３】
取付部２０ａは、出入り口１４の一方の側壁１８ａに水密に固定される本体部２２ａ、防水シート７０と係合する係合部２４ａ（第１係合部）、係止部２６ａ（第１係止部）、把持部２８ａ（第１把持部）及びガイド部３０ａ（第１ガイド部）を有する（図３、図４参照）。
【００２４】
本体部２２ａは、側壁１８ａに密着して固定され取付部２０ａの長手方向に延在する方形の平坦部４０ａ、長手方向で平坦部４０ａから垂直に設けられた側部４２ａ、及び蓋部４４ａを有する。平坦部４０ａには、側壁１８ａから突出して設けられたアンカーボルトなどの締結部材が挿入される複数の貫通孔が形成される。本体部２２ａは、前記締結部材に締結具３８により、平坦部４０ａに固定される。
【００２５】
蓋部４４ａは、一対の蝶番４８ａを介して側部４２ａに固定され、矢印ａ方向に開閉可能である。蓋部４４ａの上面部には、蓋部４４ａを開閉可能とするラッチ錠などのロック機構４６ａが設けられる。蓋部４４ａが閉じられる際に、ロック機構４６ａと、平坦部４０ａに設けられたフック５０ａとが係合して、蓋部４４ａがフック５０ａにロックされる。ロック機構４６ａを操作することでロックが解除され、蓋部４４ａを開くことができる。ここで、本実施形態において、上部とは、本体部２２ａが建物１２に固定された際の建物１２の上下方向における上側を意味し、下部は下側を意味する。
【００２６】
係合部２４ａは、取付部２０ａの上部に配設され、ピン５２ａ、一対の支持板５４ａ、一対の回動部材５６ａ及び係合板５８ａを有する。ピン５２ａは支持板５４ａに支持される。支持板５４ａは、平坦部４０ａ及び側部４２ａに固定される。回動部材５６ａは、ピン５２ａを中心に矢印ｂ方向に回動可能に設けられ、係合板５８ａが回動部材５６ａに固定される。従って、係合板５８ａもピン５２ａを中心に回動可能である。
【００２７】
係止部２６ａは、取付部２０ａの長手方向に延在する方形の部材で形成される。係止部２６ａは、固定板３２ａを介して平坦部４０ａに沿って固定されている。
【００２８】
把持部２８ａは、把持部材６０ａ、ピン６２ａ、支持板６４ａ及び支持部材３４ａを有する。把持部２８ａは、取付部２０ａの長手方向に延在する。把持部材６０ａは、取付部２０ａの長手方向に延在する方形の部材であり、支持板６４ａに固定される。把持部材６０ａは係止部２６ａから離間し、係止部２６ａと対向する位置に設けられる。取手６６ａは、把持部材６０の上部に設けられる。支持板６４ａは、ピン６２ａに対して回動可能に上下方向に設けられる。また、支持部材３４ａの一方の端部には、支持板６４ａを介して把持部材６０ａが支持される。支持部材３４ａの他方の端部は、連結部材３６ａの一方の端部に連結する。連結部材３６ａの他方の端部は、固定板３２ａに連結する。
【００２９】
ガイド部３０ａは、係止部２６ａと、係止部２６ａと対向する把持部材６０ａとの間の隙間で構成される。ガイド部３０ａは、係止部２６ａに沿って延在する。また、防水シート７０がガイド部３０ａに挿入され、ガイド部３０ａは防水シート７０が挿入される際にガイドとして機能する。
【００３０】
取付部２０ａでは、固定板３２ａと係止部２６ａとの間、固定板３２ａと連結部材３６ａとの間及び支持部材３４ａと連結部材３６ａとの間は、密着し、水密が確保されている。
【００３１】
取付部２０ｂは、出入り口１４の他方の側壁１８ｂに水密に固定される本体部２２ｂ、防水シート７０と係合する係合部２４ｂ（第２係合部）、係止部２６ｂ（第２係止部）、把持部２８ｂ（第２把持部）及びガイド部３０ｂ（第２ガイド部）を有する。取付部２０ｂは、取付部２０ａと同様の構成であり、取付部２０ａの各構成要素に対応する構成要素に対して、添え字ｂを付している。例えば、本体部２２ａに対して本体部２２ｂ、係合部２４ａに対して係合部２４ｂ、係止部２６ａに対して係止部２６ｂ、把持部２８ａに対して把持部２８ｂ、ガイド部３０ａに対してガイド部３０ｂと添え字ｂを付している。従って、取付部２０ｂの各構成要素についての説明を省略する。
【００３２】
防水シート７０は、上部シート７２と下部シート７４から構成されるシート本体７６を備える（図６Ａ参照）。上部シート７２と下部シート７４とは縫合により連結される。上部シート７２及び下部シート７４は、高い防水性と柔軟性を有する材料、例えば、両面にゴムがコーティングされた帆布で形成される。なお、上部シート７２と下部シート７４とは一体成形されてもよい。また、防水シート７０は、シート式浸水防止装置１０から取り外し可能であり、シート式浸水防止装置１０とは別の収納場所に収納できる。
【００３３】
上部シート７２の上端部には上端棒状部材７８が設けられ、下部シート７４の下端部には下端棒状部材８０が設けられる。上端棒状部材７８の中央部分には、図３の一点鎖線で示すように、上部シート７２の上端部が巻き付けられ、縫合、接着により上部シート７２が上端棒状部材７８に固定される。下端棒状部材８０は、一端から他端まで下部シート７４の下端部が巻き付けられ、接着により下部シート７４に固定される（図６Ｃ参照）。上端棒状部材７８は、両端にフランジ８４ａ、８４ｂを有するパイプなどの棒状の部材で形成され、下端棒状部材８０は、丸棒などの棒状の部材で形成されている（図６Ａ参照）。
【００３４】
下部シート７４の一方の側部には複数の係合部材８２ａ（第１係合部材）、他方の側部には複数の係合部材８２ｂ（第２係合部材）が固定される。具体的には、係合部材８２ａ、８２ｂは、下部シート７４の側部に巻き付けられ、接着、縫合により下部シート７４に固定される。係合部材８２ａ、８２ｂは、下部シート７４の側部の上下方向に間隔を置いて、隣接する係合部材８２ａ、８２ｂの間が縫合、接着されている。
【００３５】
出入り口１４の床には、溝９０が形成される。溝９０は、取付部２０ａの下部から取付部２０ｂの下部まで延在する（図１、図３参照）。溝９０の出入り口１４側の内壁９２の上部には、溝内係止部９４が取付部２０ａの下部から取付部２０ｂの下部まで延在している。
【００３６】
保持部材１００は、保持部材１００ａ（第１保持部材）、保持部材１００ｂ（第２保持部材）及び保持部材１００ｃ（第３保持部材）を備える。保持部材１００は、溝９０に収納される。保持部材１００ａは、その一方の端部が取付部２０ａの下部に挿入されるように、溝９０に収容される。保持部材１００ｂは、その一方の端部が取付部２０ｂの下部に挿入されるように、溝９０に収容される。保持部材１００ｃは、保持部材１００ａと保持部材１００ｂとの間に位置するように溝９０に収容される。
【００３７】
保持部材１００ａは、閉塞部１０２ａ、側部１０４ａ、傾斜部１０６ａ、保持取手部１０８ａ及び弾性部材１１０ａを有する（図７Ａ参照）。保持部材１００ｂは、閉塞部１０２ｂ、側部１０４ｂ、傾斜部１０６ｂ、保持取手部１０８ｂ及び弾性部材１１０ｂを有する（図７Ｂ参照）。保持部材１００ｃは、閉塞部１０２ｃ、側部１０４ｃ、傾斜部１０６ｃ、保持取手部１０８ｃ及び弾性部材１１０ｃを有する（図７Ｃ参照）。
【００３８】
保持部材１００ｃの構成要素は、保持部材１００ａ、保持部材１００ｂの構成要素と対応する。従って、保持部材１００ｃを説明することにより、保持部材１００ａ、１００ｂの説明を省略する。
【００３９】
閉塞部１０２ｃは、細長い平板で形成され、保持取手部１０８ｃが上下方向に移動可能な貫通孔１１２ｃを有する。側部１０４ｃは、閉塞部１０２ｃの長手方向に延在し、閉塞部１０２ｃに垂直に固定されている。
【００４０】
傾斜部１０６ｃは、平板で形成され、側部１０４ｃの延在する方向に所定の間隔で側部１０４ｃに複数設けられる。傾斜部１０６ｃには、下端棒状部材８０が下部シート７４を介して係合する傾斜面１１４ｃが形成されている。
【００４１】
保持取手部１０８ｃは、保持取手１１６ｃ、一対の支柱１１８ｃ及びストッパ１２０ｃを有する（図５、図７Ｃ参照）。保持取手１１６ｃは、支柱１１８ｃに固定される。支柱１１８ｃは、貫通孔１１２ｃ内で上下方向に移動可能であり、下部に支柱１１８ｃの抜けを阻止するストッパ１２０ｃを有する。ストッパ１２０ｃは、隣接する貫通孔１１２ｃ間の固定部１２２ｃに当接する。
【００４２】
弾性部材１１０ｃは、側部１０４ｃと同じ長さで形成され、側部１０４ｃに固定される。弾性部材１１０ｃは、保持部材１００ｃが溝９０内に収納された際に、溝９０の開口部分を閉塞し、溝９０内への異物の進入を防止する。
【００４３】
＜防水シート７０の装着手順＞
以上のように構成されたシート式浸水防止装置１０における防水シート７０の装着手順について説明する。図８Ａは、防水シート７０の装着前の取付部２０ａの概略横断面図であり、図８Ｂは、防水シート７０がガイド部３０ａに挿入された状態の取付部２０ａの概略横断面図であり、図８Ｃは、防水シート７０の装着後の取付部２０ａの概略横断面図であり、図８Ｄは、防水シートに水圧が加わった状態の取付部２０ａの概略横断面図である。図９Ａは、防水シート７０の装着前の保持部材１００ｃの横断面図であり、図９Ｂは、防水シート７０の装着中の保持部材１００ｃの横断面図であり、図９Ｃは、防水シート７０の装着後の保持部材１００ｃの横断面図であり、図９Ｄは、防水シート７０に水圧が加わった状態の保持部材１００ｃの横断面図である。
【００４４】
まず、図２に示される蓋部４４ａが閉じている状態から、図４Ａに示されように、作業者は、取付部２０ａのロック機構４６ａを操作して、ロックを解除し、蓋部４４ａを矢印ａの時計方向に回動し、次いで、図４Ａに示す位置まで係合板５８ａを矢印ｂの時計方向に回動する。同様に、図２に示される蓋部４４ｂが閉じている状態から、図４Ｂに示されように、作業者は、取付部２０ｂのロック機構４６ｂを操作して、ロックを解除し、蓋部４４ｂを矢印ｃの反時計方向に回動し、次いで、図４Ｂに示す位置まで係合板５８ｂを矢印ｄの反時計方向に回動する。
【００４５】
図１に示されるように、作業者は、防水シート７０の上部シート７２の縫合部分が出入り口１４側に位置するよう、上端棒状部材７８のフランジ８４ａ側を係合板５８ａに係合させ、上端棒状部材７８のフランジ８４ｂ側を係合板５８ｂに係合させる。
【００４６】
図４Ａに示されるように、作業者は、取手６６ａを矢印ｅの反時計方向に回動させる。これにより、把持部材６０ａが、図８Ａに示す位置から図８Ｂに示す位置に移動する。また、同様に、作業者は、取手６６ｂを矢印ｆの時計方向に回動させ、把持部材６０ｂを移動させる。これらの操作により、図８Ｂに示されるように、ガイド部３０ａの幅が図８Ａに示す幅よりも大きくなり、ガイド部３０ｂの幅も同様にして大きくなる。
【００４７】
図９Ａに示される状態から、作業者は、溝９０に収納されている保持部材１００を取り外す。具体的には、作業者が、保持部材１００ｃの保持取手１１６ｃを上部方向に引き上げ、保持部材１００ｃを溝９０から外す。次に、作業者が、保持部材１００ａを溝９０内で、取付部２０ａの下部から溝９０に沿って移動させた後に、保持取手１１６ａを上部方向に引き上げ、保持部材１００ａを溝９０から外す。さらに、作業者は、保持部材１００ａと同様の作業で、保持部材１００ｂも溝９０から外す。これらの操作により、図９Ｂに示されるように、溝９０は開口される。
【００４８】
図８Ｂに示されるように、作業者は、幅が大きくなったガイド部３０ａ、３０ｂに、下部シート７４の側部を挿入する。防水シート７０は、係合部材８２ａが係止部２６ａと、係合部材８２ｂが係止部２６ｂと係合するに向きに挿入される。下部シート７４はガイド部３０ａ、３０ｂでガイドされ、下端棒状部材８０は床まで到達し、図９Ｂに示すように、溝９０内に収納される。防水シート７０をガイド部３０ａ、３０ｂでガイドすることにより、防水シート７０を極めて容易に、かつ短時間で取付部２０ａ、２０ｂに装着することができる。
【００４９】
図８Ｃに示されるように、作業者は、取手６６ａを矢印ｅの時計方向に回動させる。これにより、把持部材６０ａが、図８Ｂに示す位置から図８Ｃに示す位置に移動する。また、同様に、作業者は、取手６６ｂを矢印ｆの反時計方向に回動させ、把持部材６０ｂを移動させる（図４Ｂ参照）。これらの操作により、図８Ｃに示されるように、防水シート７０の一方の側部が係止部２６ａと把持部材６０ａにより把持され、防水シート７０の他方の側部が係止部２６ｂと把持部材６０ｂにより把持される。
【００５０】
図９Ｃに示されるように、作業者は、溝９０から取り出された保持部材１００ａ〜１００ｃを、それぞれ溝９０に収納し、防水シート７０の下端部が溝９０内に保持される。この一連の作業により、防水シート７０が取付部２０ａ、２０ｂに装着される。
【００５１】
次に、例えば、大雨等により大量の水が発生し、防水シート７０に水圧がかかる場合について、説明する。
【００５２】
図８Ｄに示されるように、防水シート７０に矢印ｇ方向に水圧が加わり、防水シート７０が矢印ｇ方向に移動すると、防水シート７０の側部の係合部材８２ａ、８２ｂが矢印ｈ方向に移動し、係止部２６ａ、２６ｂに係合し、高い水密性が得られる。
【００５３】
また、図９Ｄに示されるように、防水シート７０に矢印ｇ方向に水圧が加わると、防水シート７０が矢印ｇ方向に移動し、下端棒状部材８０が矢印ｉ方向に移動する。この移動により、下端棒状部材８０は、溝内係止部９４に係合するとともに、保持部材１００ａ〜１００ｃの各傾斜部１０６ａ〜１０６ｃの傾斜面１１４ａ〜１１４ｃに係合する。防水シート７０が溝内係止部９４の角部に押し付けられることにより、水密性が高まる。
【００５４】
下端棒状部材８０が溝内係止部９４及び傾斜部１０６ａ〜１０６ｃの傾斜面１１４ａ〜１１４ｃに係合すると、各傾斜面１１４ａ〜１１４ｃには、矢印ｊ方向に押圧力が作用する。即ち、傾斜面１１４ａ〜１１４ｃには、前記押圧力の下向きの分力が作用し、保持部材１００ａ〜１００ｃの浮き上がりが防止される。
【００５５】
シート式浸水防止装置１０は、建物１２の出入り口１４の一方の側壁１８ａに水密に固定され、上部に係合部２４ａが配設され、長手方向に係止部２６ａが延在し、前記係止部２６ａに沿ってガイド部３０ａ延在する取付部２０ａと、前記建物１２の出入り口１４の他方の側壁１８ｂに水密に固定され、上部に係合部２４ｂが配設され、長手方向に係止部２６ｂが延在し、前記係止部２６ｂに沿ってガイド部３０ｂが延在する取付部２０ｂと、上端部が上端棒状部材７８を介して前記係合部２４ａと前記係合部２４ｂに係合し、一方の側部が係合部材８２ａを介して前記係止部２６ａと係合し、他方の側部が係合部材８２ｂを介して前記係止部２６ｂと係合し、下端部が前記出入り口１４の床の溝９０内で保持される防水シート７０と、を備え、前記一方の側部は、前記ガイド部３０ａでガイドされ、前記取付部２０ａの長手方向に延在する把持部２８ａと前記係止部２６ａで把持され、前記他方の側部は、前記ガイド部３０ｂでガイドされ、前記取付部２０ｂの長手方向に延在する把持部２８ｂと前記係止部２６ｂで把持される。
【００５６】
シート式浸水防止装置１０では、防水シート７０の側部が、係止部２６ａと把持部２８ａ、係止部２６ｂと把持部２８ｂで把持され、防水シート７０の係合部材８２ａ、８２ｂがそれぞれ係止部２６ａ、２６ｂに係合することで、極めて容易に装着することができ、また、防水シート７０の高い水密性を確保することができる。
【００５７】
シート式浸水防止装置１０において、前記溝９０内に収納され前記下端棒状部材８０が係合する傾斜面１１４ａ〜１１４ｃを有する傾斜部１０６ａ〜１０６ｃが形成された保持部材１００を有し、前記下端部が下端棒状部材８０を介して前記溝９０内に設けられた溝内係止部９４に係合し、前記下端棒状部材８０が溝内係止部９４と前記傾斜部１０６ａ〜１０６ｃに係合する。
【００５８】
シート式浸水防止装置１０では、下端棒状部材８０が、保持部材１００の傾斜部１０６ａ〜１０６ｃ及び溝内係止部９４と係合することにより、保持部材１００が溝９０から抜け出るのを防止することができる。
【００５９】
シート式浸水防止装置１０において、前記溝９０が、前記取付部２０ａ及び前記取付部２０ｂの下部まで延在し、前記保持部材１００は、端部が前記取付部２０ａの下部に収納される保持部材１００ａと、端部が前記取付部２０ｂの下部に収納される保持部材１００ｂと、前記保持部材１００ａと前記保持部材１００ｂとの間に位置する保持部材１００ｃとを有する。
【００６０】
シート式浸水防止装置１０では、保持部材１００が保持部材１００ａ、保持部材１００ｂ及び保持部材１００ｃの３つに分割されているので、それぞれ溝９０内に容易に収納することができる。
【００６１】
＜シート式浸水防止装置１５０の構成の説明＞
図１０は、他の実施形態に係るシート式浸水防止装置１５０において、防水シート７０ｃが装着された状態の斜視図である。図１１Ａは、防水シート７０ｃの装着前の取付部２０ｃの概略横断面図であり、図１１Ｂは、防水シート７０ｃがガイド部３０ｃに挿入された状態の取付部２０ｃの概略横断面図であり、図１１Ｃは、防水シート７０ｃの装着後の取付部２０ｃの概略横断面図であり、図１１Ｄは、防水シート７０ｃに水圧が加わった状態の取付部２０ｃの概略横断面図である。シート式浸水防止装置１０と同一の構成要素には、同一の参照符号を付し、その詳細な説明は省略する。
【００６２】
シート式浸水防止装置１５０は、取付部２０ａ、取付部２０ｂ、取付部２０ｃ（第３取付部）及び防水シート７０ｃを備える。
【００６３】
取付部２０ｃは、係止部２６ｃ（第３係止部）、把持部２８ｃ（第３把持部）及びガイド部３０ｃ（第３ガイド部）を有する（図１１参照）。
【００６４】
係止部２６ｃは、取付部２０ｃの長手方向に延在する方形の部材で形成される。係止部２６ｃは、平坦部４０ｃに沿って固定されている。
【００６５】
把持部２８ｃは、把持部材６０ｃ、ピン６２ｃ、支持板６４ｃ及び取手６６ｃを有する。把持部２８ｃは、取付部２０ｃの長手方向に延在する。把持部材６０ｃは、取付部２０ｃの長手方向に延在する方形の部材であり、支持板６４ｃに固定される。把持部材６０ｃは係止部２６ｃから離間し、係止部２６ｃと対向する位置に設けられる。取手６６ｃは、支持板６４ｃに設けられる。取手６６ｃは、ピン６２ｃに対して回動可能である。支持板６４ｃは、後述する溝９０ｃに沿って設けられる。
【００６６】
ガイド部３０ｃは、係止部２６ｃと、係止部２６ｃと対向する把持部材６０ｃとの間の隙間で構成されている。ガイド部３０ｃは、係止部２６ｃに沿って延在する。
【００６７】
防水シート７０ｃは、上部シート７２ｃと下部シート７４ｃを備える。下部シート７４ｃは防水シート７０と同様であるが、下部シート７４が有する下端棒状部材８０の代わりに、下部シート７４ｃには、下端部に複数の係合部材８２ｃ（第３係合部材）が折り曲げられて包まれる。係合部材８２ｃは、下部シート７４ｃに間隔を置いて、隣接する係合部材８２ｃの間が縫合、接着されている。
【００６８】
出入り口１４の床には、溝９０と同様に溝９０ｃが形成される。溝９０ｃは、取付部２０ａの下部から取付部２０ｂの下部まで延在する。溝９０ｃの内壁９２ｃには、取付部２０ｃが設けられている。
【００６９】
次に、以上のように構成されたシート式浸水防止装置１５０における防水シート７０ｃの装着手順について説明する。
【００７０】
作業者が、シート式浸水防止装置１５０において、ガイド部３０ａ、３０ｂに下部シート７４の側部を挿入する場合と同様の手順で、シート式浸水防止装置１５０において、ガイド部３０ａ、３０ｂの幅を大きくする。また、図１１Ｂに示されるように、作業者は、取手６６ｃを矢印ｋの時計方向に回動させる。
【００７１】
作業者は、幅が大きくなったガイド部３０ａ、３０ｂに、下部シート７４ｃの側部を挿入する。また、下部シート７４ｃの下端部を溝９０ｃに挿入する。
【００７２】
作業者は、取手６６ａ、６６ｂを回動させ、防水シート７０ｃの一方の側部を係止部２６ａと把持部材６０ａにより把持し、防水シート７０ｃの他方の側部を係止部２６ｂと把持部材６０ｂにより把持する。また、作業者は、取手６６ｃを矢印ｋの反時計方向に回動させ、把持部材６０ｃを移動させる（図１１Ｂ参照）。これらの操作により、図１１Ｃに示されるように、防水シート７０ｃの下端部が係止部２６ｃと把持部材６０ｃにより把持される。この一連の作業により、防水シート７０ｃが取付部２０ａ〜２０ｃに装着される。
【００７３】
次に、シート式浸水防止装置１５０において、例えば、大雨等により大量の水が発生し、防水シート７０ｃに水圧がかかる場合について、説明する。
【００７４】
図１１Ｄに示されるように、防水シート７０ｃに矢印ｌ方向に水圧が加わると、防水シート７０ｃが移動し、防水シート７０ｃの下端部の係合部材８２ｃが矢印ｍ方向に移動し、係止部２６ｃに係合し、高い水密性が得られる。
【００７５】
シート式浸水防止装置１５０において、前記溝９０ｃ内に設けられ、長手方向に係止部２６ｃが延在し、前記係止部２６ｃに沿ってガイド部３０ｃが延在する取付部２０ｃを有し、前記下端部は、係合部材８２ｃを介して前記係止部２６ｃと係合し、前記ガイド部３０ｃでガイドされ、前記取付部２０ｃの長手方向に延在する把持部２８ｃと前記係止部２６ｃで把持される。
【００７６】
シート式浸水防止装置１５０では、防水シート７０ｃの下端部を、係止部２６ｃと把持部２８ｃで把持し、防水シート７０ｃの係合部材８２ｃが係止部２６ｃに係合することで、極めて容易に装着することができ、また、防水シート７０ｃの高い水密性を確保することができる。
【００７７】
＜シート式浸水防止装置２００の構成の説明＞
図１１は、他の実施形態に係るシート式浸水防止装置２００において、防水シート２０６が装着された状態の斜視図である。シート式浸水防止装置１０と同一の構成要素には、同一の参照符号を付し、その詳細な説明は省略する。
【００７８】
シート式浸水防止装置２００は、シート式浸水防止装置１０の構成に加えて、取付部２０ａと取付部２０ｂとの中間に中間支柱２０２が設けられる。中間支柱２０２は、上部に係合板２０４ａ、２０４ｂ（第３係合部）が配設される。また、防水シート２０６は、防水シート７０が複数枚から構成されたシートである。防水シート２０６の上部には、上端棒状部材７８と同様の上端棒状部材２０８ａ、２０８ｂが設けられている。なお、シート式浸水防止装置２００は、シート式浸水防止装置１０の構成の代わりにシート式浸水防止装置１５０を用いることもできる。
【００７９】
シート式浸水防止装置２００では、取付部２０ａの係合板５８ａ、係合板２０４ａに上端棒状部材２０８ａが係合され、取付部２０ｂの係合板５８ｂ、係合板２０４ｂに上端棒状部材２０８ｂが係合されることにより、防水シート２０６の上部が支持される。
【００８０】
シート式浸水防止装置２００は、前記上端棒状部材２０８ａ、２０８ｂと係合する係合板２０４ａ、２０４ｂが配設され、前記取付部２０ａと前記取付部２０ｂとの中間に設けられた中間支柱２０２を有する。
【００８１】
シート式浸水防止装置２００では、防水シート２０６の上端棒状部材２０８ａ、２０８ｂが中間支柱２０２により支持され、防水シート２０６が補強されるので、より高い水密性を確保することができる。
【００８２】
なお、本発明は、上述の実施形態に限らず、本発明の要旨を逸脱することなく、種々の構成を採り得ることはもちろんである。
【００８３】
例えば、上述した実施形態では、係合部材８２ａ、８２ｂは、下部シート７４に対して、縫合、接着により設けられているが、係合部材８２ａ、８２ｂを下部シート７４に固定することができれば、これに限定されるものではない。
【００８４】
また、シート式浸水防止装置２００において、上端棒状部材２０８ａ、２０８ｂは、別部材で構成されているが、防水シート２０６が支持できれば、これに限定されるものではない。例えば、上端棒状部材２０８ａ、２０８ｂを一の棒状部材で構成しても良い。かかる場合には、係合板２０４ａ、２０４ｂも一の係合板で構成しても良い。
【符号の説明】
【００８５】
１０、１５０、２００…シート式浸水防止装置
１２…建物
１４…出入り口
１６ａ、１６ｂ…ドア
１８ａ、１８ｂ…側壁
２０ａ〜２０ｃ…取付部
２２ａ、２２ｂ…本体部
２４ａ、２４ｂ…係合部
２６ａ〜２６ｃ…係止部
２８ａ〜２８ｃ…把持部
３０ａ〜３０ｃ…ガイド部
３２ａ、３２ｂ…固定板
３４ａ、３４ｂ…支持部材
３６ａ、３６ｂ…連結部材
３８…締結具
４０ａ〜４０ｃ…平坦部
４２ａ、４２ｂ、１０４ａ〜１０４ｃ…側部
４４ａ、４４ｂ…蓋部
４６ａ、４６ｂ…ロック機構
４８ａ、４８ｂ…蝶番
５０ａ、５０ｂ…フック
５２ａ、５２ａ、６２ａ〜６２ｃ…ピン
５４ａ、５４ｂ…支持板
５６ａ、５６ｂ…回動部材
５８ａ、５８ｂ、２０４ａ、２０４ｂ…係合板
６０ａ、６０ｂ…把持部材
６４ａ〜６４ｃ…支持板
６６ａ〜６６ｃ…取手
７０、７０ｃ、２０６…防水シート
７２、７２ｃ…上部シート
７４、７４ｃ…下部シート
７６…シート本体
７８、２０８ａ、２０８ｂ…上端棒状部材
８０…下端棒状部材
８２ａ、８２ｂ…係合部材
８４ａ、８４ｂ…フランジ
９０、９０ｃ…溝
９２、９２ｃ…内壁
９４…溝内係止部
１００ａ〜１００ｃ…保持部材
１０２ａ〜１０２ｃ…閉塞部
１０６ａ〜１０６ｃ…傾斜部
１０８ａ〜１０８ｃ…保持取手部
１１０ａ〜１１０ｃ…弾性部材
１１２ａ〜１１２ｃ…貫通孔
１１４ａ〜１１４ｃ…傾斜面
１１６ａ〜１１６ｃ…保持取手
１１８ｃ〜１１８ｃ…支柱
１２０ａ〜１２０ｃ…ストッパ
１２２ａ〜１２２ｃ…固定部
２０２…中間支柱
【図１】
0006987595.tif 000002
【図２】
0006987595.tif 000003
【図３】
0006987595.tif 000004
【図４】
0006987595.tif 000005
【図５】
0006987595.tif 000006
【図６】
0006987595.tif 000007
【図７】
0006987595.tif 000008
【図８】
0006987595.tif 000009
【図９】
0006987595.tif 000010
【図１０】
0006987595.tif 000011
【図１１】
0006987595.tif 000012
【図１２】
0006987595.tif 000013